(57)【特許請求の範囲】
【請求項１】
導電によって発熱する発熱手段と、前記発熱手段によって加熱される吸液部材とを収納する器体を有し、前記器体に、前記発熱手段に電力を伝達する電源コードが接続された加熱蒸散装置において、
前記吸液部材を収納する空間に前記電源コードを保持するために、前記器体に、前記器体下部の側壁に設けられた一対の切欠からなる係止手段と、前記器体の底壁部より突出する脚部と、が設けられ、前記電源コードが棒状に束ねられた状態で該棒状の両端部を前記器体の外に出して前記切欠に嵌着保持され、前記電源コードの接続部が前記器体の前記側壁から外部に突出せず前記電源コードが前記側壁に沿って下方に向けて配置されたことを特徴とする加熱蒸散装置。
【発明の詳細な説明】
【０００１】
【発明の属する技術分野】
本発明は、殺虫剤や芳香剤等を蒸散して殺虫や脱臭等を行う加熱蒸散装置に関し、詳しくは、家庭用商用電源等によって作動される加熱蒸散装置に関する。
【０００２】
【従来の技術】
従来、蚊等の害虫を駆除するための殺虫剤や、芳香剤等を室内に拡散するために、加熱蒸散装置が用いられている。
図３に、加熱蒸散装置の一例を示す。加熱蒸散装置９０は、器体上部９２と器体下部９３とを組み合せてなる略ドーム状の器体９１を有し、器体上部９２の上壁部には、後述する吸液芯から蒸散される気体を外部に放出するための蒸散孔１００が設けられている。また、器体上部９２の側壁部には、後述する液体容器１０１内の残液量を外部から視認するための孔である窓９９が設けられている。
【０００３】
図４に、図３に示した加熱蒸散装置９０の概略縦断面図を示す。器体上部９２と器体下部９３との境界には、スイッチ９７と、電源コード９４の接続部９４ａとが配設されている。接続部９４ａは、電源コード９４の、器体９１との接続箇所における曲げ疲労による断線等を防止するために設けられるもので、電源コード９４より曲げ強度を強くされている。
【０００４】
器体下部９３の底壁部には、液体容器１０１を挿入可能な挿入孔９３ａが設けられている。挿入孔９３ａの周縁には、器体上部９２内へと突出する側壁９３ｂが立設され、側壁９３ｂの上端には天板９３ｃが設けられている。天板９３ｃには、器体９１内に挿入した液体容器１０１の小径部１０１ａを係止する係止片や、発熱体９５を支持する支持片が設けられている。
【０００５】
有底筒状の液体容器１０１内には、殺虫成分や芳香成分等を含む液体が収容されている。そして液体容器１０１の小径部１０１ａからは、当該容器１０１内の液体を吸い上げ可能な吸液芯１０２が外部に突出している。
発熱体９５は、アルミナ磁器等のセラミックスからなる容器内に、例えば半導体（正特性サーミスタ等）やニクロム線等からなる発熱素子（図示せず）を収納して構成されている。
液体容器１０１を器体９１内に装着した際には、液体容器１０１から突出した吸液芯１０２が発熱体９５の貫通孔に挿通される。その状態で、発熱体９５により吸液芯１０２を熱することで、吸液芯１０２に吸い上げられた液体容器１０１内の液体を、蒸散孔１００から外部に蒸散させることができる。
【０００６】
器体９１内には、発光体９６が適宜の位置に固定されている。器体９１の外壁に設けられたスイッチ９７を操作し、電源コード９４を介して商用電源より、発熱体９５に電圧を印加して加熱蒸散装置９０を作動させた際には、発光体９６にも電圧が印加される。発光体９６からの光は、光透過性材料からなる受光部材９８に達し、加熱蒸散装置９０の作動を外部に表示する。
【０００７】
【発明が解決しようとする課題】
上述したような加熱蒸散装置９０においては、器体９１の側壁部から電源コード９４の接続部９４ａが突出すると共に、所定長さの電源コード９４が外部に延びており、例えば製品として流通させるときは、電源コードを折り曲げると共に結束して加熱蒸散装置９０を包装していた。しかし、加熱蒸散装置９０をさらにコンパクトに包装して、運搬性や保管性を高めることが望まれていた。
本発明は、以上のような背景に基づいてなされたものであって、その目的は、かさばらずに包装可能で、運搬や保管が容易な加熱蒸散装置を提供することにある。
【０００８】
【課題を解決するための手段】
本発明者らは鋭意検討の結果、従来は使用時に、液体容器１０１等を収納することのみに使用されていた器体９１内の空間を、電源コード９４を収納するために積極的に利用することを想到するに至った。すなわち本発明は、導電によって発熱する発熱手段と、前記発熱手段によって加熱される吸液部材とを収納する器体を有し、前記器体に、前記発熱手段に電力を伝達する電源コードが接続された加熱蒸散装置において、前記吸液部材を収納する空間に前記電源コードを保持するために、前記器体に、前記器体下部の側壁に設けられた一対の切欠からなる係止手段と、前記器体の底壁部より突出する脚部と、が設けられ、前記電源コードが棒状に束ねられた状態で該棒状の両端部を前記器体の外に出して前記切欠に嵌着保持され、前記電源コードの接続部が前記器体の前記側壁から外部に突出せず前記電源コードが前記側壁に沿って下方に向けて配置されたことを特徴としている。
【００１０】
以上のような構成の加熱蒸散装置によれば、例えば折り曲げると共に結束した電源コードを、係止手段によって、器体内の吸液部材を収納する空間に保持できるので、かさばらずにコンパクトに包装することができ、大量の製品運搬や、省スペースによる保管等が可能になる。
【００１１】
【発明の実施の形態】
以下、本発明の実施形態を図面に基づいて詳しく説明する。なお、既に説明した部材等については、図中に同一符号または相当符号を付すことにより説明を簡略化あるいは省略する。
【００１２】
図１に示す加熱蒸散装置１０は、器体上部１２と器体下部１３とからなる器体１１を備えている。器体１１の図示を省略した部分の形態は限定されず、例えば図３に示したものと同様の形態を採用できる。器体上部１２と器体下部１３との境界には、電源コード９４が接続されている。本実施形態においては、器体下部１３の側壁部に、当該側壁部の上下方向に沿った凹溝１４ａが設けられ、その凹溝内に電源コード９４の接続部９４ａが収納されている。凹溝１４ａは、器体１１内の液体容器（図示せず）を収納する空間に連通しており、電源コード９４の一部である接続部９４ａを保持する、いわば第一係止手段として機能している。この凹溝１４ａにより、電源コード９４は器体１１との接続箇所において、器体１１の側壁部に沿うと共に側壁部から突出していない。
【００１３】
さらに器体下部１３の側壁部には、器体１１内の液体容器（図示せず）を収納する空間に連通する切欠１４ｂが設けられている。切欠１４ｂは、底面視において、前記凹溝１４ａが設けられた側壁部の箇所から±９０°はなれた側壁部の箇所に１個ずつ設けられている。
【００１４】
図２に、図１におけるＹ矢視図を示す。図２に示すように、接続部１４ａを介して器体１１に接続されている電源コード９４は、折り曲げられると共に結束されて、短尺の略棒状にされ、その棒の両端を器体１１側壁部の切欠１４ｂ内に嵌着されている。切欠１４ｂは電源コード９４を嵌着保持する、いわば第二係止手段として機能しているが、加熱蒸散装置１０の使用時には、図示しない液体容器内の残液量を外部から視認するための窓、及び外気取り入れ口として機能する。
【００１５】
また、図２に示すように器体下部１３の底壁部には、前記凹溝１４ａと液体容器を収納する空間とを連通する連通溝１４ｃが設けられており、この連通溝１４ｃに、接続部９４ａから延びる電源コード９４の基端部が嵌着保持されている。
【００１６】
図１に示した状態において、電源コード９４は、器体１１の底壁部から突出しておらず、加熱蒸散装置１０は、器体１１の底壁部より突出する４個の脚部１５によって設置面に安定に支持されている。また、電源コード９４は切欠１４ｂに嵌着保持されており、加熱蒸散装置１０を設置面から持ち上げた際に、電源コード９４が切欠１４ｂから外れないようになっている。
【００１７】
以上のような構成の加熱蒸散装置１０においては、折り曲げると共に結束した電源コード９４を、凹溝１４ａ、切欠１４ｂおよび連通溝１４ｃによって、器体１１内の液体容器を収納する空間に保持できる。したがって、コンパクトに包装することができ、大量の製品運搬や、省スペースによる保管等が可能になる。
【００１８】
また、電源コード９４の接続部９４ａが、凹溝１４ａに収納され、器体１１の側壁部に沿うと共に側壁部から突出していないので、運搬性、保管性が一層向上されている。また、切欠１４ｂが、加熱蒸散装置１０使用時における窓として機能し、液体容器内の残液量を、透明窓部材等を介さずに直接視認できる。したがって、残液量の視認性が極めて良好で、かつ、部品点数の減少によるコストダウンが可能である。また、連通溝１４ｃが、接続部９４ａから延びる電源コード９４の基端部を嵌着保持するので、電源コード９４を、液体容器を収納する空間へと円滑に案内できる。
【００１９】
なお、本発明は、前述した実施形態に限定されるものではなく、適宜な変形・改良等が可能である。
例えば、前述した実施形態においては、器体下部９３の側壁部に、当該側壁部の上下方向に沿った凹溝１４ａが設けられ、その凹溝に電源コードの接続部９４ａが収納されていたが、凹溝は上下方向以外の方向に沿ったものでもよく、また、器体上部に設けてもよい。
また、前述した実施形態においては、吸液部材として、吸液芯を備えた液体容器を想定していたが、吸液部材の形態も限定されず、薬剤を固化したもの等でもよい。
【００２０】
【発明の効果】
以上詳細に説明したように、本発明の加熱蒸散装置によれば、電源コードを、係止手段によって吸液部材を収納する空間に保持できるので、かさばらずにコンパクトに包装することができ、大量の製品運搬や、省スペースによる保管等が可能になる。また、電源コードの接続部が、器体の側壁から突出していないので、運搬性、保管性が一層向上されている。また、切欠が、加熱蒸散装置使用時における窓として機能し、液体容器内の残液量を、透明窓部材等を介さずに直接視認できる。また、切欠は外気取り入れ口としても機能する。
【図面の簡単な説明】
【図１】本発明の一実施形態を示す部分斜視図である。
【図２】図１におけるＹ矢視図である。
【図３】従来の加熱蒸散装置を示す斜視図である。
【図４】図３に示した加熱蒸散装置の概略縦断面図である。
【符号の説明】
１０    加熱蒸散装置
１１    器体
１２    器体上部（器体）
１３    器体下部（器体）
１４ａ  凹溝（係止手段）
１４ｂ  切欠（係止手段）
１４ｃ  連通溝（係止手段）
９４    電源コード
【図１】
0004205262.tif 000002
【図２】
0004205262.tif 000003
【図３】
0004205262.tif 000004
【図４】
0004205262.tif 000005